(57)【要約】本発明は、通信サブシステムを形成する複数の個々の通信システムを有する無線通信システムに関する。第１の加入者装置（２１３）が、通信サブシステムの第１のサブセットをモニタリングし、該サブシステムのサブセットに関連した特性の第１のモニタリング情報サブセットを発生する。第２の加入者装置（２１５）が、通信サブシステムの異なるサブセットをモニタリングする。加入者装置（２１３，２１５）は、モニタリング情報を相互に又は固定のネットワーク（３０１，３０３，３０５，３０７）に通信する。該固定のネットワークは、モニタリング情報サブセットを組み合わせて、組み合わされたモニタリング情報を生成する。本発明は、ＧＳＭ、ＤＥＣＴ及びＵＭＴＳを含む複数の通信システムに適用可能である。
2005525029.tif 000002
【特許請求の範囲】
【請求項１】
複数の加入者装置にサービス提供を行う複数の通信サブシステムを有する無線通信システムであって、
複数の通信サブシステムの第１のサブセットをモニタリングすることにより通信サブシステムの前記第１のサブセットと関連した第１のモニタリング情報サブセットを発生するよう構成されている第１の加入者装置と、
通信サブシステムの第１のサブセットと異なる複数の通信サブシステムの第２のサブセットをモニタリングすることにより第２のサブセットの通信システムと関連した第２のモニタリング情報サブセットを発生するよう構成されている第２の加入者装置と、
第１及び第２のモニタリング情報サブセットを組み合わせて、前記第１及び第２の両方の複数の通信サブシステムの通信サブシステムと関連した組み合わされたモニタリング情報セットを生成する手段と
を備える無線通信システム。
【請求項２】
前記組み合わされたモニタリング情報セットを生成する手段が第２の加入者装置にあり、
前記通信システムが、第１のモニタリング情報サブセットを第１の加入者装置から第２の通信装置へ通信する手段を備える
請求項１記載の無線通信システム。
【請求項３】
第１のモニタリング情報サブセットを通信する前記手段が、第１の加入者装置から第２の加入者装置への直接無線リンクを有する請求項２記載の無線通信システム。
【請求項４】
第１のモニタリング情報サブセットを通信する前記手段が、短距離アドホック・ネットワークを有する請求項２記載の無線通信システム。
【請求項５】
第１のモニタリング情報サブセットを通信する前記手段が、無線ブルートゥース接続を有する請求項２記載の無線通信システム。
【請求項６】
前記組み合わされたモニタリング情報セットを生成する手段が、前記通信システムの固定のネットワークにあり、
前記通信システムは、
第１のモニタリング情報サブセットを第１の加入者装置から固定のネットワークへ通信する手段と、
第２のモニタリング情報サブセットを第２の加入者装置から固定のネットワークへ通信する手段と、
前記の組み合わされたモニタリング情報セットを第１の加入者装置に通信する手段とを備える
請求項１記載の無線通信システム。
【請求項７】
前記の組み合わされたモニタリング情報サブセットを複数の加入者装置へブロードキャストする手段を更に備える請求項６記載の無線通信システム。
【請求項８】
前記ブロードキャストする手段が、前記の組み合わされたモニタリング情報サブセットをブロードキャストの複数の通信サブシステム上にブロードキャストするよう構成されている請求項７記載の無線通信システム。
【請求項９】
前記モニタリング情報が、当該モニタリング情報が発生されるときの前記加入者装置の位置に関連した情報を有する請求項１から８のいずれか一項に記載の無線通信システム。
【請求項１０】
前記モニタリング情報が、当該モニタリング情報の発生の時間に関連した情報を有する請求項１から９のいずれか一項に記載の無線通信システム。
【請求項１１】
各通信サブシステムがサブネットワークを備え、
前記組み合わされたモニタリング情報セットを生成する手段が、前記サブネットワーク間に分散配置されている
請求項１から１０のいずれか一項に記載の無線通信システム。
【請求項１２】
複数の加入者装置にサービス提供を行う複数の通信サブシステムを有する無線通信システムのための無線通信装置であって、
複数の通信サブシステムの第１のサブセットをモニタリングすることにより通信サブシステムの前記第１のサブセットと関連した第１のモニタリング情報サブセットを発生する手段と、
通信サブシステムの第１のサブセットと異なる複数の通信サブシステムの第２のサブセットをモニタリングするよう構成されている第２の加入者装置により発生され且つ通信サブシステムの第２のサブセットと関連した第２のモニタリング情報サブセットを受信する手段と、
第１及び第２のモニタリング情報サブセットを組み合わせて、前記第１及び第２の両方の複数の通信サブシステムの通信サブシステムと関連した組み合わされたモニタリング情報セットを生成する手段と
を備える無線通信装置。
【請求項１３】
第２のモニタリング情報サブセットを受信する前記手段が、第２の加入者装置から第１の加入者装置への直接無線リンクから第２のモニタリング情報サブセットを受信するよう動作可能である請求項１２記載の無線通信装置。
【請求項１４】
第２のモニタリング情報サブセットを受信する前記手段が、第２のモニタリング情報サブセットを短距離アドホック・ネットワークから受信するよう動作可能である請求項１２記載の無線通信装置。
【請求項１５】
第２のモニタリング情報サブセットを受信する前記手段が、第２のモニタリング情報サブセットをブルートゥース接続から受信するよう動作可能である請求項１２記載の無線通信装置。
【請求項１６】
複数の加入者装置にサービス提供を行う複数の通信サブシステムを有する無線通信システムにおけるモニタリング方法であって、
第１の加入者装置において、複数の通信サブシステムの第１のサブセットをモニタリングすることにより通信システムの前記第１のサブセットと関連した第１のモニタリング情報サブセットを発生するステップと、
第２の加入者装置において、通信サブシステムの第１のサブセットと異なる複数の通信サブシステムの第２のサブセットをモニタリングすることにより第２のサブセットの通信システムと関連した第２のモニタリング情報サブセットを発生するステップと、
第１及び第２のモニタリング情報サブセットを組み合わせて、前記第１及び第２の両方の複数の通信サブシステムの通信サブシステムと関連した組み合わされたモニタリング情報セットを生成するステップと、
を備えるモニタリング方法。
【請求項１７】
組み合わされたモニタリング情報セットを生成する前記の手段が第２の加入者装置にあり、
第１のモニタリング情報サブセットが、第１の加入者装置から第２の通信装置へ、第１の加入者装置から第２の加入者装置への直接の無線リンクを介して通信される
請求項１６記載のモニタリング方法。
【請求項１８】
組み合わされたモニタリング情報セットを生成する前記の手段が第２の加入者装置にあり、
第１のモニタリング情報サブセットが、第１の加入者装置から第２の通信装置へ短距離アドホック・ネットワークを介して通信される
請求項１６記載のモニタリング方法。
【請求項１９】
組み合わされたモニタリング情報セットを生成する前記の手段が第２の加入者装置にあり、
第１のモニタリング情報サブセットが、第１の加入者装置から第２の通信装置へ無線ブルートゥース接続を介して通信される
請求項１６記載のモニタリング方法。
【請求項２０】
第１のモニタリング情報サブセットと第２のモニタリング情報サブセットとを組み合わせて組み合わされたモニタリング情報サブセットを生成する前記ステップが、
第１のモニタリング情報サブセットを第１の加入者装置から固定のネットワークへ通信するステップと、
第２のモニタリング情報サブセットを第２の加入者装置から固定のネットワークへ通信するステップと、
第１及び第２のモニタリング情報サブセットを組み合わせて、前記固定のネットワークの中の組み合わされたモニタリング情報セットを生成するステップと、
前記組み合わされたモニタリング情報セットを第１の加入者装置に通信するステップと
を備える請求項１６記載のモニタリング方法。
【請求項２１】
前記の組み合わされたモニタリング情報セットを通信するステップが更に、前記の組み合わされたモニタリング情報サブセットを複数の加入者装置へブロードキャストするステップを備える請求項２０記載のモニタリング方法。
【発明の詳細な説明】
【技術分野】
【０００１】
［発明の分野］
本発明は、無線通信システム、無線通信装置及びそのためのモニタリング方法に関し、詳細にはセルラ通信システム及び異なる通信サブシステムをモニタリングする方法に関する。
【０００２】
［発明の背景］
セルラ通信システムにおいて、加入者装置（典型的には、移動局、通信端末装置、無線装置、ユーザ装置、遠隔端末装置等）のそれぞれは、固定の基地局と通信する。加入者装置から基地局への通信はアップリンクとして知られており、そして基地局から加入者装置への通信はダウンリンクとして知られている。システムの総カバレージ・エリアは、それぞれが単一の基地局により主としてカバーされる或る一定数の別個の範囲又はセルに分割される。セルは、隣接のセルと重なるカバレージ・エリアを有して、典型的には地理的に区別される。図１は、セルラ通信システム１００を示す。当該システムにおいては、基地局１０１は、多数の加入者装置１０３と無線チャネル１０５を介して通信する。セルラ通信システムにおいては、基地局１０１は、或る一定の地理的範囲１０７内のユーザをカバーし、これに対して、他の地理的範囲１０９，１１１は、他の基地局１１３，１１５によりカバーされる。幾らかのオーバラップ範囲１１７を２以上のセルによりカバーすることができる。
【０００３】
加入者装置が１つのセルのカバレージ・エリアから別のセルのカバレージ・エリアへ移動するにつれ、通信リンクは、当該加入者装置と第１のセルの基地局との間にある状態から当該加入者装置と第２のセルの基地局との間にある状態へ変わるであろう。これはハンドオーバとして知られている。特に、幾つかのセルは、完全に、より大きな他のセルのカバレージ内に存在し得る。
【０００４】
全ての基地局は、固定のネットワークにより相互接続される。この固定のネットワークは、通信ライン、スイッチ、他の通信ネットワークへのインターフェース、及びネットワークを動作させるため必要とされる様々なコントローラを備える。加入者装置からの呼が、固定のネットワークを介してこの呼に対して特定の宛先へルート付けされる。呼が同じ通信システムの２つの加入者装置間である場合、当該呼は、固定のネットワークを介して、他の加入者装置が現在居るセルの基地局へルート付けされるであろう。従って、接続は、固定のネットワークを介して２つのサービス提供するセル間と確立される。代替として、呼が、加入者装置と、公衆交換電話網（ＰＳＴＮ）へ接続されている電話機との間である場合、当該呼は、サービス提供している基地局から、セルラ移動通信システムとＰＳＴＮとの間のインターフェースへルート付けされる。次いで、それは、ＰＳＴＮにより当該インターフェースから電話機へルート付けされる。同様の手順が他の公衆又は私設ネットワークに対して用いられる。
【０００５】
セルラ移動通信システムは、加入者装置と基地局との間の無線通信に対して或る周波数スペクトルを割り当てられる。このスペクトルは、当該システムを同時に用いている全ての加入者装置間で共用されねばならない。
【０００６】
このスペクトルを共用する１つの方法は、時分割多元接続（ＴＤＭＡ）として知られている技術によるものである。ＴＤＭＡ通信システムにおいては、周波数スペクトルは、典型的には、或る数の別個の周波数チャネル又はキャリヤに分割され、そしてこれらのキャリヤのそれぞれに対して、複数の加入者装置が、別個の時間間隔を割り当てられることによりサービス提供される。従って、ＴＤＭＡ通信システムＧＳＭの例では、周波数スペクトルは、２００ｋＨｚ周波数チャネルに分割され、当該２００ｋＨｚ周波数チャネルのそれぞれは、８個の別個の時間スロットに分割される。加入者装置は、サービス提供している基地局と通信するため所与の周波数チャネル上で特定の時間スロットを割り当てられる。ＧＳＭの更なる詳細は、著者Ｍｉｃｈｅｌ  Ｍｏｕｌｙ及びＭａｒｉｅ−Ｂｅｒｎａｄｅｔｔｅ  Ｐａｕｔｅｔの「移動通信用のＧＳＭシステム（Ｔｈｅ  ＧＳＭ  Ｓｙｓｔｅｍ  ｆｏｒ  Ｍｏｂｉｌｅ  Ｃｏｍｍｕｎｉｃａｔｉｏｎｓ）」（Ｂａｙ  Ｆｏｒｅｉｇｎ  Ｌａｎｇｕａｇｅ  Ｂｏｏｋｓ発行、１９９２年、ＩＳＢＮ2950719007）に見つけることができる。
【０００７】
セルラ・スペクトルを共用する別の方法は、符号分割多元接続（ＣＤＭＡ）として知られている技術によるものである。直接シーケンスＣＤＭＡ（ＤＳ−ＣＤＭＡ）通信システムにおいては、信号は、高レート符号により多重化され、それにより信号は、より大きい周波数スペクトルにわたり拡散される。従って、狭帯域信号が、拡散され、そして広帯域信号として送信される。受信機で、元の狭帯域信号が、送信機で信号を拡散するため用いたのと同じ符号を受信信号に乗算することにより再生される。異なる符号の使用により拡散された信号は、受信機で逆拡散されないで、広帯域の信号のままであろう。次いで、それは、逆拡散動作後にフィルタリングすることにより除去される。こうして、受信機において、希望される信号と同じ周波数スペクトル内の信号からの大部分の干渉は、フィルタリングすることにより除去することができる。結果として、複数の加入者装置は、異なる符号を異なる加入者装置に対して割り当てることにより同じ広帯域スペクトルの中に収容することができる。符号は、典型的には、可能であるとき直交符号を選定することにより加入者装置間で起きた干渉を最小にするよう選定される。ＣＤＭＡ通信システムの更に詳細は、Ｇｌｉｓｉｃ及びＶｕｃｅｔｉｃ著の「無線通信用拡散スペクトルＣＤＭＡシステム（Ｓｐｒｅａｄ  Ｓｐｅｃｔｒｕｍ  ＣＤＭＡ  Ｓｙｓｔｅｍ  ｆｏｒ  Ｗｉｒｅｌｅｓｓ  Ｃｏｍｍｕｎｉｃａｔｉｏｎｓ）」（Ａｒｔｅｃｈ  ｈｏｕｓｅ  Ｐｕｂｌｉｓｈｅｒｓにより１９９７年発行、ＩＳＢＮ0-89006-858-5）に見つけることができる。ＣＤＭＡセルラ通信システムの例としては、ＩＳ９５及び汎用移動通信システム（ＵＭＴＳ）がある。
【０００８】
遠隔端末装置又は加入者装置によりアクセス可能で且つ現在ますます増加している無線通信システムが使用可能になっている。これらの通信システムのサービス、コスト及びアクセス可能性は変わり、そして加入者装置が所与の状況で最も適切な通信システムを用いるため、様々な通信システムで動作することができる加入者装置が、開発されている。そういうものとして、ＧＳＭ９００、ＧＳＭ１８００、ＧＳＭ１９００及びＤＥＣＴのような異なる通信システムを潜在的に用いることができる現在のＧＳＭ移動体（モバイル）が開発されている。これらの通信システムの全てを用いるよう装備された加入者装置は、理想的に、これら全てのサブシステムをモニタリングし、現在の条件の下で加入者装置の現在の要件に最良に適合された通信システムを選択する。
【０００９】
更に多種多様の多数の通信システムを用いることができるであろう更に一層複雑な加入者装置が企画されている。従って、以下の通信システムの全て又はその大部分を用いることができるソフトウエアにより定義可能な無線装置がまもなく使用可能となると考えられるようになった。
【００１０】
・ＧＳＭ ９００
・ＧＳＭ １８００
・ＧＳＭ １９００
・ＵＭＴＳ １８００
・ＵＭＴＳ ＦＤＤ
・ＵＭＴＳ ＴＤＤ
・ＵＭＴＳ ＴＤ−ＳＣＤＭＡ
・ＩＳ９５
・ＣＤＭＡ２０００
・ＴＤＭＡ
・ＢＲＡＮ
・ＷＬＬ
・ブルートゥース（Ｂｌｕｅｔｏｏｔｈ）
・ＤＥＣＴ
・固定アクセス（ＰＳＴＮ，ＬＡＮ）
・ＩＥＥＥ８０２．１１ａ
・ＩＥＥＥ８０２．１１ｂ。
【００１１】
従って、複数の通信システムを用いることができる加入者装置に対して、個々の無線通信システムは、加入者装置にとって使用可能な通信システムの集合により構成される一層大きく且つ重なっている通信システムのサブシステムとなる。
【００１２】
しかしながら、加入者装置がどのサブシステムが最適な通信システムであるかを決定するため、それが複数のサブシステムを走査して、モニタリングすることが必要とされる。現在市販されている関連の単純なＧＳＭ加入者装置に対してでさえ、これは、複雑で、時間及び資源を必要とするタスクである。このタスクの複雑さは、ユーザにとって使用可能であるシステム及びサービスの様々な混合が異なる領域間で著しく変化し得るので増大される。
【００１３】
この問題は、非常に異なる無線アクセス技術を有する多数の非常に異なる通信サブシステムが用いられるとき著しく悪化させられる。モニタリング及び走査の異なるサブシステムは、（単一の無線サブシステムを仮定し、しかも複雑さ及びコストを著しく増大するであろう並列無線装置でないこと仮定すると、）加入者装置の無線サブシステムの重要な再構成、及び新しいネットワーク技術フレーム及びブロードキャスト・スケジュールとの同期化を含む。この複雑さは、走査を遅くし、そしてその端末装置からの現在アクティブな通信に干渉する。走査の遅さがまた、ネットワーク・タイプ間の呼のハンドオーバを遅延させ、そして結果として呼が落ちることをもたらすことになるであろう。その上、モニタリングは、複雑なアルゴリズムを必要とし、従って、資源要件を増大させ、そして加入者装置のバッテリ寿命を低減するであろう。
【００１４】
従って、異なる通信システムをモニタリングする現在のスキームは、複雑で、遅く且つ非常に資源を要求し、従って、加入者装置により通信システムをモニタリングするシステムを改善する必要性が存在する。
【００１５】
［発明の概要］
本発明の発明者は、通信システムをモニタリングする従来のアプローチは次善であり、改善することができることを知った。本発明は、複数の通信システムのモニタリングを改善することを求め、そして特に、それは、複数の通信システムのモニタリングのため要求される時間、資源及び複雑さを改善するよう求める。
従って、特許請求の範囲に記載の発明が提供される。
本発明の一実施形態が、例示としてのみ、図面を参照して以下に説明される。
【００１６】
［好適な実施形態の詳細な説明］
図２は、本発明の一実施形態に従った通信システムの図である。
【００１７】
記載された実施形態においては、周知の個々の通信システム、即ち、ＧＳＭ、ＵＭＴＳ ＴＤＤ（時分割デュープレックス）、ＵＭＴＳ ＣＤＭＡ（符号分割多元接続）及びＤＥＣＴが或るグループの加入者装置によりアクセスされることができる。当該グループ内の個々の加入者装置のそれぞれは、使用可能な通信システムのうちの１つ、又は２以上、あるいはそれらの全てにアクセスすることができ得る。従って、グループの加入者装置と通信サブシステムとしての個々の通信システムとを備える通信システムが、形成される。個々の通信システム（即ち、サブシステム）は、好適な実施形態において調整され、そして加入者装置情報を適切なネットワーク・インターフェースを介して共有することができる。好適な実施形態においては、個々の通信システムはまた、相互に作用することができ、それにより呼データは、１つのシステムから別のシステムへルート付けされることができ、それにより１つのサブシステムから他のサブシステムへ呼のハンドオーバを可能にする。しかしながら、他の実施形態においては、サブシステムは、完全に独立であり、そして情報もインフラストラクチャも共用しない。このケースにおいては、全体としての移動体のグループの能力は、個々の通信システムのどれが当該通信システムのサブシステムであるかを定義する。従って、個々の通信システムは、それらのシステムを完全に独立に且ついずれの他の通信システムを考慮せずに動作させ得る異なるオペレータにより動作され得るが、しかし協調し、そして情報を、サブ通信システムを形成する他の個々の通信システムと交換することが好ましい。
【００１８】
図２は、所与の範囲内の通信システムの或る数の基地局２０１，２０３，２０５，２０７，２０９を示す。これら基地局のうちの２つの基地局２０１，２０３はＧＳＭ通信サブシステムに属し、１つの基地局２０５はＵＭＴＳＴＤＤ通信サブシステムに属し、１つの基地局２０７はＵＭＴＳ ＣＤＭＡ通信サブシステムに属し、そして最後の基地局２０９はＵＭＴＳＴＤＤ通信サブシステムに属する。図２は更に、所与の領域内に現在いる３つの加入者装置２１１，２１３，２１５のグループを示す。従って、このグループの加入者装置は、４つのサブシステム（即ち、４つの個々の通信システムのうちの１つ）に潜在的にアクセスし得る。どの通信サブシステムを用いる又はそれにアクセスするかを決定するため、各加入者装置は、それが用いることができる通信サブシステムのそれぞれに関連する情報を決定しなければならない。
【００１９】
従って、第１の加入者装置２１３がＵＭＴＳ ＴＤＤ通信サブシステム、ＵＭＴＳＣＤＭＡ通信サブシステム及びＧＳＭ通信サブシステムで通信することができる場合、それは、これら３つの通信サブシステムと関連する情報を決定しなければならない。その情報は、典型的には、パイロット信号レベル、信号レベル等のような通信システムのための広く通用している無線条件をモニタリングすることにより、又は異なる通信システムによりブロードキャストされ且つ通信システムの特性と関連する情報を受信することにより決定される。しかしながら、そのモニタリングは、例えば、使用可能な容量又は同期化情報を含むいずれの適切な情報を含み得る。
【００２０】
記述している実施形態に従って、第１の加入者装置２１３は、通信サブシステムのサブセットをモニタリングする。図２の例では、第１の加入者装置２１３は、２つのサブシステムＵＭＴＳＴＤＤ及びＵＭＴＳ ＣＤＭＡをモニタリングする。このモニタリングは、特に、２つの通信システムＵＭＴＳＴＤＤ及びＵＭＴＳ ＣＤＭＡの基地局２０５，２０７の受信パイロット信号レベルを測定することを含む。加入者装置によるモニタリングは、必ずしも所与の領域内の基地局に制限されるわけではなく、他の領域における関連の通信システムの基地局も十分含み得る。
【００２１】
更に、記述している実施形態に従って、４つの通信サブシステムの全てで通信することができる第２の加入者装置２１５は、ＧＳＭ通信サブシステム及びＤＥＣＴ通信サブシステムを有する通信サブシステムの第２のサブセットをモニタリングする。特に、第２の加入者装置２１５は、ＧＳＭ基地局２０１，２０３及びＤＥＣＴ基地局２０９からの受信パイロット信号レベルを測定する。モニタリングしているサブセットは、完全に異なっていても又は重なっていてもよい。上記グループ内の一部の加入者装置は、同一のモニタリング中サブセットを持ち得るが、しかしそのグループの加入者装置の少なくとも２つの加入者装置は、異なったモニタリング中サブセットを持つであろう。
【００２２】
本発明の一実施形態に従って、第１の加入者装置２１３により発生されたモニタリング情報は、そのグループの他の加入者装置２１１，２１５に通信される。同様に、第２の加入者装置２１５により発生されたモニタリング情報は、他の加入者装置２１１，２１３に通信される。更に、他の加入者装置２１１により発生されたいずれのモニタリング情報は、他の加入者装置２１３，２１５に通信される。次いで、異なる加入者装置２１１，２１３，２１５からのモニタリング情報は、組み合わされて、加入者装置２１１，２１３，２１５の一部又は全部によりモニタリングされる通信サブシステムより多くの通信サブシステムに関連する組み合わされたモニタリング情報を発生する。
【００２３】
モニタリング情報の組み合わせは、様々な方法で達成することができる。好適な実施形態においては、組み合わせは、加入者装置で実行される。従って、第２の加入者装置２１５は、第１の加入者装置２１３からのモニタリング情報を受信し、そしてＵＭＴＳＴＤＤ及びＣＤＭＡ通信サブシステムについての情報を、それ自体ＧＳＭ及びＤＥＣＴ通信システムに関して発生された情報と組み合わせるであろう。従って、この情報を組み合わせることにより、それは、使用可能な全ての通信システムと関連付けられた組み合わせられたモニタリング情報を発生するであろう。更に、所与の通信システムの所与の特性に関連するモニタリング情報は、複数の加入者装置から受信されることができ（又は、他の加入者装置からローカルに発生され、受信されることができ）、そしてこの情報が組み合わされ、それによりその組み合わせられた情報は、全てのソースから受信された情報を考慮に入れている。その組み合わせは、例えば、受信値の平均化により実行され得る。
【００２４】
モニタリング情報がパイロット信号レベルである例では、別の加入者装置２１３の測定信号レベルは、第２の加入者装置２１５で受信されるであろうパイロット信号レベルの指示として考慮される。加入者装置２１３，２１５が互いに比較的に近くに位置されるので、そのレベルが同一又は似ているとする仮定は合理的であるが、しかし異なる加入者装置で受信したレベルから加入者装置の無線特性を推定するいずれの既知の方法を、本発明を損ねることなく用い得る。
【００２５】
モニタリング情報が基地局から加入者装置までの無線特性から独立である通信サブシステムの特性と関連する場合、典型的にはモニタリング情報を直接用いることができる。例えば、第１の加入者装置２１３により測定されたモニタリング情報がＵＭＴＳＴＤＤ通信サブシステムに対する特定のサービスのため使用可能な容量又はタリフ（ｔａｒｉｆｆ）に関連する場合、この情報は、第２の加入者装置２１５に等しく適用可能であろう。通信サブシステムへのハンドオーバ又はアクセスに関して関連しているモニタリング情報であって、その情報をそれ自体で決定しなかった加入者装置により用いられることができる当該モニタリング情報の他の例は、ネットワーク・オペレータの識別、採用された周波数又は符号、ネットワークのブロードキャスト形態、及び同期化情報を含む。
【００２６】
こうして、本発明の実施形態に従って、複数の通信サブシステムのモニタリングが、複数の加入者装置の間に分散され、そして情報がこれらの加入者装置間で共有される。従って、個々の加入者装置は、有り得る通信サブシステムの小さいサブセットをモニタリングすることのみが必要であるが、しかし、それが直接それ自体でモニタリングしなかったサブシステムを含むその近傍の全てのサブシステムの能力を知らされる。これは、個々の加入者装置が複数のサブシステムをモニタリングするため必要とする資源及び時間を著しく低減し、それにより加入者装置の複雑さ及びバッテリの消費を低減しながら、アクセス及びハンドオーバの速度を上げる。
【００２７】
加入者装置により発生されたモニタリング情報は、様々な方法で他の加入者装置へ分配されることができる。モニタリング情報の組み合わせが加入者装置で実行される好適な実施形態においては、モニタリング情報は、通信のため通信サブシステムを用いること無しに直接加入者装置間で通信されることが好ましい。一実施形態においては、直接無線リンクが加入者装置間に形成され、それにより加入者装置はいずれの中間体無しに直接通信する。別の実施形態においては、加入者装置は、短距離アドホック（ａｄ−ｈｏｃ）・ネットワークと通信する。特に、アドホック・ネットワークは、短距離アドホック無線ネットワークのため現在標準化されたＩＥＥＥ８０２．１１ａ又は８０２．１１ｂのような、短距離装置対装置通信のための標準化されたネットワークであり得る。他の実施形態においては、リンクは、無線ローカル・エリア・ネットワーク（ＬＡＮ）により形成され得る。更に別の実施形態においては、リンクは、ブルートゥース・リンクにより形成され得て、それは、リンクが低コストの標準化通信手段を用いて近接の加入者装置に対して自動的且つ動的に形成される利点を与える。
【００２８】
リンクが通信のため通信サブシステムを用いること無しに加入者装置間で形成される特定の実施形態においては、通信サブシステムの追加の負荷（ｌｏａｄｉｎｇ）が無い。更に、任意の適切なリンクを用いることができるので、通信サブシステムがモニタリング情報を分配するのに適している又は分配することが可能であることが必要とされない。これは、個々の独立した通信サブシステムを介したモニタリング情報のいずれの調整又は交換に対する要求条件が無いので、完全に別個で独立した通信サブシステムにとって特に有利である。従って、個々の通信サブシステムは、加入者装置のグループが通信システムの異なるサブセットをモニタリングし且つその情報を共用することができることが要求されることの全てであるので、オペレータが知っている状態から独立した通信システムに含められ得る。アドホック・ネットワークの特定の使用は、加入者装置間の適切なリンクを、加入者装置の現在の分布及び位置に適するよう動的に且つ自動的に形成することができる利点を与える。
【００２９】
図３は、本発明の異なる実施形態に従って通信サブシステムを用いてモニタリング情報を分配する通信システムを示す。
図３は、図２の基地局２０１，２０３，２０５，２０７，２０９及び加入者装置２１１，２１３，２１５を示す。その上、図３は、ＵＭＴＳＴＤＤ固定サブネットワーク３０１に接続されたＵＭＴＳ ＴＤＤ基地局２０５、ＵＭＴＳＣＤＭＡ固定サブネットワーク３０３に接続されたＵＭＴＳ ＣＤＭＡ基地局２０７、ＧＳＭ固定サブネットワーク３０５に接続されたＧＳＭ基地局２０１，２０３、及びＤＥＣＴ固定サブネットワーク３０７に接続されたＤＥＣＴ基地局２０９を示す。こうして、通信システムの固定ネットワークは、個々の通信システム、即ち、通信サブシステムの固定ネットワークの組み合わせにより作られる。
【００３０】
第１の加入者装置２１３は、前述したようにモニタリング情報を決定する。次いで、決定されたモニタリング情報は、加入者装置２１３にサービス提供をしている基地局に通信される。図３の例では、加入者装置は、現在ＴＤＤモードにあり、そしてＵＭＴＳＴＤＤ基地局２０５によりＴＤＤ通信リンク３０９を介してサービス提供されている。加入者装置２１３は、モニタリング情報をＵＭＴＳ ＴＤＤ基地局２０５へこのＴＤＤ通信リンク３０９を介して通信する。ＵＭＴＳ ＴＤＤ基地局２０５は、受信されたモニタリング情報をＵＭＴＳＴＤＤ固定サブネットワーク３０１に通信する。同様に、他の加入者装置も、それらにより決定されたモニタリング情報を固定ネットワークへ適切なリンクを介して通信する。なお、適切なリンクは、サービス提供しているリンクであることが好ましい。従って、第２の加入者装置２１５は、モニタリング情報を、サービス提供しているリンク３１１を用いて、サービス提供しているＧＳＭ基地局２０３を介してＧＳＭ固定サブネットワーク３０５へ通信し、そして第３の加入者装置２１１は、モニタリング情報を、サービス提供しているリンク３１３を用いて、サービス提供しているＧＳＭ基地局２０１を介してＧＳＭ固定サブネットワーク３０５へ通信する。
【００３１】
固定サブネットワーク３０１，３０３，３０５，３０７は、通信リンク３１５，３１７，３１９により相互接続され、そして受信されたモニタリング情報は、全ての固定サブネットワーク３０１，３０３，３０５，３０７の間で通信され、それにより固定サブネットワーク３０１，３０３，３０５，３０７のそれぞれは、加入者装置２１１，２１３，２１５のいずれかにより発生されたモニタリング情報の全てを持つ。次いで、それらの全部の情報は、全ての通信サブシステム上にブロードキャストされ、それによりグループ内の全ての加入者装置は、決定された全てのモニタリング情報を受信する。加入者装置は、全部のモニタリング情報を受信すると、必要に応じて、それらを処理し、組み合わせる。例えば、特定の通信サブシステムに関連したモニタリング情報が複数の加入者装置から受信される場合、当該情報は、変更されないでブロードキャストされ、そして加入者装置は、それを、例えば、値を平均化することにより組み合わせ得る。従って、この実施形態においては、第１及び第２のモニタリング情報の組み合わせは、固定ネットワークで一部実行され、そして加入者装置で一部実行される。
【００３２】
図４は、本発明の一実施形態に従ってモニタリング情報の中央組み合わせを有する通信システムを示す。この実施形態においては、全ての固定サブネットワーク３０１，３０３，３０５，３０７は、通信リンク４０１，４０３，４０５，４０７により、モニタリング情報を組み合わせる中央プロセッサ４０９へ接続されている。従って、中央プロセッサ４０９は、モニタリング情報を全ての加入者装置２１１，２１３，２１５から受信し、当該情報を組み合わせて単一のモニタリング情報セットにする。組み合わせられたこの単一のモニタリング情報セットは、全ての加入者装置からの情報を有し、そして全ての通信サブシステムに関連する。しかしながら、単一のモニタリング情報セットは、加入者装置のサブセットからのモニタリング情報のみを有するのみか、又は例えば、モニタリングするグループに含まれる加入者装置の現在の能力に依存する通信サブシステムのサブセットに関連するのみかであり得る。モニタリング情報セットは、全ての通信サブシステムに通信され、それら全ての通信サブシステムはその情報をブロードキャストする。従って、加入者装置２１１，２１３，２１５のそれぞれは、好適な通信サブシステムのブロードキャスト・チャネルを単純に受信することにより、全ての通信サブシステムに関連する組み合わせられた情報を受信することができる。更に、個々の加入者装置２１１，２１３，２１５が任意の情報を処理することは、それが中央プロセッサ４０９により中央で既に行われてしまうので、要求条件で無い。
【００３３】
図５は、本発明の一実施形態に従ってモニタリング情報の分散された組み合わせを有する通信システムを示す。この実施形態においては、全ての固定サブネットワーク３０１，３０３，３０５，３０７は、組み合わせ実行プロセッサ５０１，５０３，５０５，５０７を備え、そしてそれら組み合わせリンク実行プロセッサは、組み合わせリンク５０９，５１１，５１３により直接相互接続されている。組み合わせ実行プロセッサ５０１，５０３，５０５，５０７のそれぞれは、モニタリング情報を他の組み合わせ実行プロセッサ５０１，５０３，５０５，５０７から受信し、そしてそれらへ送信することができる。従って、組み合わせ実行プロセッサ５０１，５０３，５０５，５０７は、加入者装置から組み合わせ実行プロセッサ５０１，５０３，５０５，５０７の通信サブシステムへ報告されたモニタリング情報を格納し、そしてそれを他の組み合わせ実行プロセッサ５０１，５０３，５０５，５０７へ通信するであろう。その上、それは、他の通信サブシステム上の加入者装置２１１，２１３，２１５により報告されたモニタリング情報をそれらの各組み合わせ実行プロセッサ５０１，５０３，５０５，５０７から受信するであろう。従って、各組み合わせ実行プロセッサ５０１，５０３，５０５，５０７は、いずれの通信サブシステム上に報告された全てのモニタリング情報を累積する。それは更に、モニタリング情報を組み合わせて、組み合わされたモニタリング情報セットを発生し、その組み合わされたモニタリング情報セットをそれは関連の通信サブシステム上にブロードキャストするであろう。
【００３４】
本発明の一実施形態に従って、モニタリング情報は、そのモニタリング情報が発生されたとき加入者装置の位置に関連付けられた情報を有する。従って、加入者装置により通信されたモニタリング情報サブセットは、発信する加入者装置が通信システムをモニタリングするとき当該発信する加入者装置の位置に関連する情報と一緒に送信される。個々のモニタリング情報のそれぞれに対する個々の位置情報を用い得るか、又は通信された全体のモニタリング情報サブセットに対する単一の位置タグを用いることができる。モニタリング情報サブセットを受信する加入者装置は、この実施形態において、当該加入者装置がモニタリング情報が発生された位置にどのくらい近いかを決定し、そしてそれからその情報が加入者装置にどのように関連しているかを決定することができる。従って、受信する加入者装置は、加入者装置の現在位置の或る一定の距離内で発生されたモニタリング情報のみを用い得る。更に、位置情報を用いて、加入者装置が移動するにつれ、受信されたモニタリング情報を動的に廃棄するか又は受け入れるかすることができる。加入者装置の位置を決定する任意の既知の方法を、本発明を損ねること無しに用いることができる。
【００３５】
本発明の一実施形態に従って、モニタリング情報は、そのモニタリング情報の発生の時点に関連付けられた情報を有する。従って、加入者装置により通信されたモニタリング情報サブセットは、発信する加入者装置が通信システムをモニタリングした時点に関連する情報と一緒に送信される。個々のモニタリング情報のそれぞれに対する個々の時間情報を用い得るか、又は通信された全体のモニタリング情報サブセットに対する単一の時間タグを用いることができる。モニタリング情報サブセットを受信する加入者装置は、この実施形態では、モニタリングが実行されてからどのくらいの時間が経過したかを決定し、従ってそれが加入者装置に如何に関連するかを決定することができる。一実施形態においては、時間情報は、モニタリング情報サブセットに加えられる満了時間の形式であり、そして情報が有効であると考えられ得るまでの時点を指示する。
【００３６】
説明した構成要素及び機能は、適切な装置を提供するため任意の適切な要領で実行され得る。特に、構成要素は、単一の個別のエンティティから成り、又は代わりに、既存のパーツ又は構成要素を適合させることにより形成され得る。そのようにして、必要とされる適合は、フロッピー・ディスク（登録商標）、ハード・ディスク、ＰＲＯＭ、ＲＡＭ、又はこれらの任意の組み合わせのような記憶媒体、又は他の記憶媒体に格納されたプロセッサ実行可能命令の形式で実現され得る。更に、機能は、ハードウエア、ファームウエア、ソフトウエア、又はこれらの任意の組み合わせの形式で実現され得る。特に、複数の通信システムをモニタリングし及び／又はアクセスするよう動作可能な加入者装置は、ソフトウエアで定義可能な無線装置、個々の通信システムのそれぞれに対して独立の回路を有する完全に並列の加入者装置、又は任意の他の手段のいずれかの使用による任意の形式で実現され得る。
【００３７】
本発明は単独で又は任意の組み合わせで次の利点を与えることが理解されるであろう。
・本発明は、複数の個別通信システムで動作可能であって複雑さが少ない加入者装置を提供する。
【００３８】
・本発明は、個々の加入者装置が複数の通信システムをモニタリングするため必要とされる時間を著しく低減し、それによりアクセス及びハンドオーバの速度を上げる。
【図面の簡単な説明】
【００３９】
【図１】図１は、従来技術に従ったセルラ通信システムの図である。
【図２】図２は、本発明の一実施形態に従った通信システムの図である。
【図３】図３は、通信サブシステムが本発明の異なる実施形態に従ってモニタリング情報を分散させるため用いられる通信システムの図である。
【図４】図４は、本発明の一実施形態に従ったモニタリング情報の中央組み合わせを有する通信システムを図示する。
【図５】図５は、本発明の一実施形態に従ってモニタリング情報の分散した組み合わせを有する通信システムを図示する。
【図１】
2005525029.tif 000003
【図２】
2005525029.tif 000004
【図３】
2005525029.tif 000005
【図４】
2005525029.tif 000006
【図５】
2005525029.tif 000007
【国際調査報告】
2005525029.tif 000008
2005525029.tif 000009